(57)【要約】【課題】装置本体と、装置本体に対して開閉自在に設けられた扉と、この扉の内側に、扉に対して開閉自在に設けられたユニットとを備えた電子装置において、扉及びユニットを少ない部品点数で固定可能とする。【解決手段】一方端部に断面三角形状の第１係止部５２が形成され、軸５１を隔てて反対側に断面三角形状の第２係止部５３が形成された固定レバー５を、転写ユニット３に軸５１を中心として回動可能に取り付ける。装置本体１に、固定レバー５の第１係合部５２と係合する爪部１８を形成し、扉２に、固定レバー５の第２係止部５３と係合する爪部２２を形成する。そして、固定レバー５の第１係合部５２及び第２係合部５３と、装置本体１の爪部１８及び扉２の爪部２２とを係合させることによって、扉２及び転写ユニット３をそれぞれ閉状態に保持する。【選択図】図２
2010054881.tif 000002
【特許請求の範囲】
【請求項１】
装置本体と、装置本体に対して開閉自在に設けられた扉と、この扉の内側に、扉に対して開閉自在に設けられたユニットとを備えた電子装置であって、
前記ユニットに、第１係止部と第２係止部とを有する係止部材を回動可能に設け、
前記装置本体に、第１係止部と係合する第１被係止部を設け、
前記扉に、第２係止部と係合する第２被係止部を設け、
前記係止部材の第１係止部と第２係止部とを、第１被係止部と第２被係止部とにそれぞれ係合させることによって、前記扉に対して前記ユニットを閉状態に保持すると共に、前記装置本体に対して前記扉を閉状態に保持し、
前記係止部材を回転させることによって、装置本体に対して扉を閉状態から開状態とし、前記扉に対して前記ユニットを閉状態から開状態とすることを特徴とする電子装置。
【請求項２】
前記係止部材の回転量によって、前記扉及び前記ユニットの一方だけを閉状態から開状態できる請求項１記載の電子装置。
【請求項３】
前記ユニットが転写ユニットであり、前記装置本体が画像形成装置本体である請求項１又は２記載の電子装置。
【発明の詳細な説明】
【技術分野】
【０００１】
本発明は電子装置に関し、より詳細には装置本体と、装置本体に対して開閉自在に設けられた扉と、この扉の内側に、扉に対して開閉自在に設けられたユニットとを備えた電子装置に関するものである。
【背景技術】
【０００２】
従来の、ファクシミリやプリンタ、複写機などの画像形成装置の多くでは、装置本体に開閉自在に扉を設けて、保守点検や新品への交換などの際に、扉を開けて現像ユニットや感光体ユニットを装置本体から着脱していた。また、装置内での紙詰まりの際にも扉を開けて詰まった用紙の除去などを行っていた。例えば図９に示す従来の画像形成装置では、現像ユニットや感光体ユニットを装置本体１から取り出す場合や、用紙搬送路に用紙が詰まった場合には、扉２を軸２１を中心として時計回りに回転させて開状態とし、装置本体１からの現像ユニットや感光体ユニットの着脱あるいは用紙搬送路に詰まった用紙の除去を行っていた。
【０００３】
また、用紙の両面に画像を形成するために、一方面側に画像形成が行われた用紙を表裏反転させて再び画像形成部に搬送する両面用搬送路２２において、紙詰まりが起こったときは、扉２に取り付けられている転写ユニット３を軸３５を中心として反時計回りに回転させて開状態とし、両面用搬送路２２に詰まった用紙の除去を行っていた。さらには、経時劣化に伴い転写ユニット３を交換する場合は、扉２から転写ユニット３を取り外して新品に交換していた。
【０００４】
このように装置本体１に対して扉２が開閉し、扉２に対して転写ユニット３が開閉する装置において、従来は、装置本体１と扉２の固定は第１の固定レバー６１で行い、扉２と転写ユニット３の固定は第２の固定レバー６２で行っていた。
【特許文献１】特開2007-91435
【発明の開示】
【発明が解決しようとする課題】
【０００５】
しかしながら、開閉する部材のそれぞれに固定レバーを設けると部品点数が増加するとともに装置構成の複雑化を招く。また、複数の固定レバーが存在すると、操作手順が複雑化し操作性が悪くなる。
【０００６】
そこで本発明はこのような従来の問題に鑑みてなされたものであり、その目的とするところは、開閉自在の扉及びユニットを少ない部品点数で固定可能とした電子装置を提供することにある。
【課題を解決するための手段】
【０００７】
本発明によれば、装置本体と、装置本体に対して開閉自在に設けられた扉と、この扉の内側に、扉に対して開閉自在に設けられたユニットとを備えた電子装置であって、前記ユニットに、第１係止部と第２係止部とを有する係止部材を回動可能に設け、前記装置本体に、第１係止部と係合する第１被係止部を設け、前記扉に、第２係止部と係合する第２被係止部を設け、前記係止部材の第１係止部と第２係止部とを、第１被係止部と第２被係止部とにそれぞれ係合させることによって、前記扉に対して前記ユニットを閉状態に保持すると共に、前記装置本体に対して前記扉を閉状態に保持し、前記係止部材を回転させることによって、装置本体に対して扉を閉状態から開状態とし、前記扉に対して前記ユニットを閉状態から開状態とすることを特徴とする電子装置が提供される。
【０００８】
ここで、利便性及び操作性などの観点から、前記係止部材の回転量によって、前記扉及び前記ユニットの一方だけを閉状態から開状態できるようにするのが好ましい。
【０００９】
また、前記ユニットが転写ユニットであり、前記装置本体が画像形成装置本体であってによい。
【発明の効果】
【００１０】
本発明の電子装置では、ユニットに回動自在に設けた係止部材によって、装置本体に対して扉を閉状態に保持させるとともに、扉に対してユニットを閉状態に保持させる。このように１つの係止部材で扉とユニットの閉状態を保持できるので、従来に比べて部品点数を減らすことができる。また、１つの係止部材の操作で扉とユニットの開閉が可能となり操作性の向上が図れる。
【発明を実施するための最良の形態】
【００１１】
以下、本発明に係る電子装置について、画像形成装置をその一例として図に基づいて説明するが、本発明はこれらの実施形態に何ら限定されるものではない。
【００１２】
図１は、本発明の電子装置の一実施形態を示す画像形成装置の概説図である。図１の画像形成装置Ｄは所謂タンデム方式のカラープリンタである。もちろん、プリンタのほか、さらにスキャナを有する複写機、ファクシミリ又はそれらの機能を複合的に備えた複合機等にも本発明を適用することができる。また、画像形成方式としてはタンデム方式に限定されるものではなく、他の方式、例えば、一つの現像装置でモノクロ画像を作成するモノクロ方式であっても構わない。
【００１３】
図１（ｂ）に示すように、画像形成装置Ｄは、装置本体１と、装置本体１に軸２１を中心として回動自在の扉２と、扉２に軸３５を中心として回動自在の転写ユニット３とを備える。転写ユニット３は、無端状の搬送ベルト３１と、両面搬送路２２の一部を構成する搬送路とを備える。図１（ａ）に示すように、扉２が閉まった状態において、搬送ベルト３１は、鉛直方向から若干傾いた状態で略中央に位置している。搬送ベルト３１は２つの回転ローラ３３，３４に架け渡され、時計回りに回転する。搬送ベルト３１の左方には、搬送ベルト３１の回転方向の上流から下流方向に向かって（図１では下方から上方にかけて）、ブラック、イエロ、シアン、マゼンタの各色の画像を形成するプリントユニット１１が並んで設けられている。各々のプリントユニット１１は、現像ユニットと感光体ユニットとが合体してなる。そして、各プリントユニット１１の感光体ドラム１１１と、搬送ベルト３１を挟んで対向する位置に転写ローラ３２が設けられている。
【００１４】
転写紙は給紙ローラ１２によって不図示のカセットから引き出され、搬送ローラ１７１を介して搬送ベルト３１へ送られる。送られてきた転写紙は搬送ベルト３１上に静電吸着され、各プリントユニット１１における感光体ドラム１１１と転写ローラ３２との間を順次通過する。そして、感光体ドラム１１１と転写ローラ３２の間を通過する際に、トナーの帯電極性と逆極性の電圧が転写ローラ３２に印加され、感光体ドラム１１１上に形成されたトナー画像が搬送ベルト３１上の転写紙に転写される。各プリントユニット１１を通過するごとに各色のトナー画像が転写紙上に次々に転写され、最終的なトナー画像が転写紙上に形成される。
【００１５】
トナー画像が形成された転写紙は次に定着装置１５に運ばれ、ここで加熱および加圧されて転写紙上にトナー画像が定着される。定着装置１５を通過した転写紙は排出ローラ対１７２によって排紙トレイ１６へ排出される。
【００１６】
一方、転写紙の両面に画像を形成する場合は、定着装置１５を通過した転写紙は排出ローラ対１７２によって両面搬送路２２へ送られ、搬送ローラ１７１に再び戻される。そして、前記と同様の操作によって、転写紙の前記と反対面に画像が形成され、定着装置１５を経て排紙トレイ１６に排出される。
【００１７】
図１（ｂ）は、扉２及び転写ユニット３をそれぞれ開状態としたときの概説図である。扉２は、軸２１を中心として装置本体１に対して回動自在であり、転写ユニット３は扉２に対して軸３５を中心として回動自在である。例えばプリントユニット１１を装置本体から引き出す場合、あるいは感光体１１１と転写ベルト３１との間で用紙が詰まった場合には、扉２を時計回りに回転させて開状態とし、プリントユニット１１の引き出しや詰まった用紙の除去などを行う。また、両面搬送路２２に用紙が詰まった場合には、転写ユニット３を軸３５を中心として反時計回りに回転させて開状態とし、詰まった用紙の除去などを行う。さらには、後述するように、軸３５に対する転写ユニット３の取付を脱着可能とすれば、転写ユニット３の交換も可能となる。
【００１８】
図２に、装置本体１と扉２、転写ユニット３との固定レバー（係止部材）５による固定状態を示す部分拡大正面図を、図３にその斜視図をそれぞれ示す。転写ユニット３の上部に、軸５１を中心として回動可能に略「へ」字状の固定レバー５が取り付けられている。固定レバー５の一方端部には断面三角形状の第１係止部５２が形成され、軸５１を隔てて反対側にも断面三角形状の第２係止部５３が形成されている。そして、固定レバー５の、第２係止部５３が形成された側の側部には、一方端が転写ユニット３に接続された引きバネＳの他方端が接続されている。これによって固定レバー５は時計回りに常に付勢され、通常は、転写ユニット３に形成されたストッパピン３７に当接した状態で止まっている。また、固定レバー５には、利用者が係合状態を解除するための押圧部５４が設けられている。
【００１９】
装置本体１には、固定レバー５の第１係合部５２と係合する爪部１８が形成され、扉２には固定レバー５の第２係止部５３と係合する爪部２２がそれぞれ形成されている。固定レバー５の第１係合部５２及び第２係合部５３がそれぞれ装置本体１の爪部１８及び扉２の爪部２２と係合することによって、扉２及び転写ユニット３はそれぞれ閉状態に保持される。
【００２０】
このような構成の画像形成装置において、固定レバー５による係合状態を解除し、扉２及び転写ユニット３をそれぞれ開状態とする工程図を図４に示す。まず、利用者によって固定レバー５の押圧部５４が下方に押圧されると、引きバネＳの付勢力に抗して、固定レバー５が軸５１を中心として反時計回りに回転する（同図（ａ））。これによって、固定レバー５の第１係合部５２と装置本体１の爪部１８との係合が外れ、転写ユニット３と共に扉２は軸２１を中心として時計回りに回転する（同図（ｂ））。これによって扉２は開状態となる（同図（ｃ））。
【００２１】
次に、固定レバー５の押圧部５４がさらに押圧されると、固定レバー５が軸５１を中心としてさらに回転し、固定レバー５の第２係合部５３と扉２の爪部２２との係合が外れる（同図（ｃ））。これによって、転写ユニット３は扉２に対して軸３５を中心として反時計回りに回転し開状態となる（同図（ｄ））。ここで、例えば図５に示すように、扉２の、転写ユニット３の軸３５の支持部を切り欠き部２３としておけば、転写ユニット３を扉２から容易に取り外して交換等を行うこともできる。
【００２２】
なお、固定レバー５の第１係合部５２と装置本体１の爪部１８との係合が最初に外れ、固定レバー５の第２係合部５３と扉２の爪部２２との係合が次に外れるのは、固定レバー５の第２係合部５３と扉２の爪部２２との、固定レバー５の回動方向の重なり幅が、固定レバー５の第１係合部５２と装置本体１の爪部１８とのそれよりも長いためである。すなわち、固定レバー５の第１係合部５２と装置本体１の爪部１８との重なり幅が短いため、固定レバー５の少しの回転で第１係合部５２と爪部１８との係合が外れるのに対し、固定レバー５の第２係合部５３と扉２の爪部２２との重なり幅は長いため、この係合を外すためには、固定レバー５をより大きく回転させる必要がある。換言すれば、固定レバー５の係合部と爪部との、固定レバー５の回転方向の重なり幅を調整することによって、係合状態が解消される時期を調整することができる。例えば、固定レバー５の第１係合部５２と装置本体１の爪部１８との重なり幅を、固定レバー５の第２係合部５３と扉２の爪部２２との重なり幅よりも長くすれば、最初に扉２が開状態となり、次に転写ユニット３が開状態となる。また、固定レバー５の第１係合部５２と装置本体１の爪部１８との重なり幅と、固定レバー５の第２係合部５３と扉２の爪部２２との重なり幅とを同じにすれば、扉２と転写ユニット３とがそれぞれ同時に開状態となる。ただし、実使用上は、前記実施形態で示したように、固定レバー５の第１係合部５２と装置本体１の爪部１８との係合が最初に外れ、次に固定レバー５の第２係合部５３と扉２の爪部２２との係合が外れるように設定することが推奨される。
【００２３】
扉２及び転写ユニット３を開状態から閉状態とするには、前述の手順と逆の手順で行えばよい。すなわち、図６に示すように、転写ユニット３を軸３５を中心として時計回りに回転させて（同図（ａ））、固定レバー５の第２係合部５３を扉２の爪部２２に係合させる（同図（ｂ））。これによって転写ユニット３は扉２に対して閉状態に保持される。そして次に、転写ユニット３と共に扉２を軸２１を中心として反時計回りに回転させて（同図（ｃ））、固定レバー５の第１係合部５２を装置本体１の爪部１８に係合させる（同図（ｄ））。これによって、扉２は装置本体１に対して閉状態に保持される。また同時に、同図（ｃ），（ｄ）に示すように、転写ユニット３に形成されたピン３６が、装置本体１に形成された受け溝１４に係入することによって扉２は装置本体１に対して位置決めされた状態で保持される。
【００２４】
図７に、本発明で使用する固定レバーの他の実施形態を示す正面図を、図７にその斜視図を示す。この図の固定レバー５’は、軸５１を中心として回動可能に転写ユニット３に設けられている点、一方端部に断面三角形状の第１係止部５２が形成され、軸５１を隔てて反対側に断面三角形状の第２係止部５３が形成されている点、第２係止部５３が形成された側の側部に、一方端が転写ユニット３に接続された引きバネＳの他方端が接続されている点は、前記実施形態の固定レバー５と同様であって、その外形が略「Ｌ」字状である点が前記実施形態の固定レバー５と異なっている。この固定レバー５’の動き及び作用は前記実施形態のものと同様であるのでここではその説明は省略する。
【産業上の利用可能性】
【００２５】
本発明の電子装置では、１つの係止部材で扉とユニットの閉状態を保持できるので、従来に比べて部品点数を減らすことができ、また１つの係止部材の操作で扉とユニットの開閉ができ操作性の向上が図れて有用である。
【図面の簡単な説明】
【００２６】
【図１】本発明に係る画像形成装置の一例を示す概説図である。
【図２】転写ユニットと扉とを閉状態に保持する固定レバーの概説図である。
【図３】図２の固定レバーの斜視図である。
【図４】扉が閉状態から開状態になる工程図である。
【図５】転写ユニットが閉状態から開状態になる工程図である。
【図６】転写ユニット及び扉が開状態から閉状態になる工程図である。
【図７】本発明で使用する固定レバーの他の形態を示す正面図である。
【図８】図７の固定レバーの斜視図である。
【図９】従来の画像形成装置を示す概説図である。
【符号の説明】
【００２７】
１    装置本体
２    扉
３    転写ユニット
５    固定レバー（係止部材）
Ｄ    画像形成装置
１８    爪部（第１被係止部）
２２    爪部（第２被係止部）
５２    第１係止部
５３    第２係止部
【図１】
2010054881.tif 000003
【図２】
2010054881.tif 000004
【図３】
2010054881.tif 000005
【図４】
2010054881.tif 000006
【図５】
2010054881.tif 000007
【図６】
2010054881.tif 000008
【図７】
2010054881.tif 000009
【図８】
2010054881.tif 000010
【図９】
2010054881.tif 000011